(57)【要約】【課題】人体の下肢における股部外側に取付けられ、内部に被収納物を収納可能としてなる小物入れにおいて、その利便性を向上させることを目的とする。【解決手段】小物入れは、人体の下肢における股部２の外側に取付けられ、内部に被収納物を収納可能とされる。この小物入れに係る小物入れ本体１は、股部２に対する取付状態において、股部２の前面側に開口されるポケット部１５が備えられ、該ポケット部１５には股部前面側に矢印Ｃに示すように引き出し自在とされ、かつ股部前面側への非引き出し状態においてポケット部１５内に収納可能な板状体１６が備えられる。板状体１６の表面にはメモホルダ２０に取着されるメモ帳１９が備えられる。【選択図】  図７
0003146743.tif 000002
【実用新案登録請求の範囲】
【請求項１】
人体の下肢における股部外側に取付けられ、内部に被収納物を収納可能としてなる小物入れにおいて、小物入れ本体における股部に対する取付状態において、股部前面側に開口されるポケット部と、該ポケット部内に取付けられ、股部前面側に引き出し自在とされ、かつ股部前面側への非引き出し状態においてポケット部内に収納可能な板状体と、を備えることを特徴とする小物入れ。
【請求項２】
板状体の表面には、メモ帳を取着可能とするメモホルダを備えることとしてなる請求項１に記載の小物入れ。
【請求項３】
板状体には、ボールペン、鉛筆などの筆記具を止着するペンホルダを備えることとした請求項１または２のいずれかに記載の小物入れ。
【請求項４】
板状体の表面には、小型コンピュータを取着可能とする取付ホルダを備えることとしてなる請求項１に記載の小物入れ。
【考案の詳細な説明】
【技術分野】
【０００１】
本考案は、レスキュー隊員、海上保安官、自衛隊員などがもっぱら野外活動において使用し、内部に被収納物を収納可能としてなる小物入れに関する。
【背景技術】
【０００２】
レスキュー隊員、海上保安官、自衛隊員などにおいては、救助活動、災害活動などの野外活動の局面において、薬品、包帯などの医療用品、地図、海図、活動記録などの書類、細引き、無線機器、懐中電灯などの様々な携帯具を内部に収納するための小物入れが使用される。小物入れには、隊員が背負う背のうタイプのもの、ベルトに取付けるセカンドバックタイプのものがあるが、比較的小さな小物類を収納するタイプのものとして、人体の下肢における股部外側に取付けられるタイプの通称レッグホルダと呼ばれる小物入れが多く用いられている。
【０００３】
このタイプの小物入れは、人体の上半身に取付けられる背のうタイプのものに比べて隊員の身体の動きに制約を加えることもなく、身体を比較的自由に動かせるため、多く利用されている。
【特許文献１】特開平８−１９４１５号
【考案の開示】
【考案が解決しようとする課題】
【０００４】
ところで、こうした小物入れを使用する隊員においては、最近コンプライアンスの面から逐一その活動を記録することが求められ、従来そうした活動記録は小物入れに収納されるメモ帳と筆記具を隊員が該小物入れより取出して行ったり、あるいはＰＤＡと呼ばれる小型コンピュータを小物入れから取り出し、例えばＰＤＡの液晶画面にペン入力することにより行っていた。
【０００５】
しかしながら、隊員が野外の災害現場、救助現場において、いちいち小物入れからメモ帳やＰＤＡを取出し、記録するのは面倒とされ、こうした現場において隊員が使用し易く、使い勝手のよい小物入れの提供が期待されている。
【０００６】
本考案は上記の点に鑑みてなされたものであり、人体の下肢における股部外側に取付けられ、内部に被収納物を収納可能としてなる小物入れにおいて、その利便性を向上させることを目的としている。
【課題を解決するための手段】
【０００７】
本考案は、人体の下肢における股部外側に取付けられ、内部に被収納物を収納可能としてなる小物入れにおいて、小物入れ本体における股部に対する取付状態において、股部前面側に開口されるポケット部と、該ポケット部内に取付けられ、股部前面側に引き出し自在とされ、かつ股部前面側への非引き出し状態においてポケット部内に収納可能な板状体と、を備えることとしたものである。
【０００８】
また板状体の表面には、メモ帳を取着可能とするメモホルダを備えることとしたものである。
【０００９】
また板状体には、ボールペン、鉛筆などの筆記具を止着するペンホルダを備えることとしたものである。
【００１０】
さらに板状体の表面には、小型コンピュータを取着可能とする取付ホルダーを備えることとしたものである
【考案の効果】
【００１１】
本考案によれば、小物入れ本体における股部に対する取付状態において、股部前面側に開口されるポケット部と、該ポケット部内に取付けられ、股部前面側に引き出し自在とされ、かつ股部前面側への非引き出し状態においてポケット部内に収納可能な板状体と、を備えることとし、例えばこの板状体にメモ帳を取着可能とするメモホルダを備え、あるいは小型コンピュータを取着可能とする取着ホルダを備えることとし、野外において板状体をポケット部から引き出し、これに取着されるメモ帳や小型コンピュータにおいて活動記録を行うことができる。すなわち、こうした記録を行う際、メモ帳や小型コンピュータは股部前面側に引き出される板状体の表面に備えられるため、使用者においては股部上でこうした記録を行うことができるので慌ただしい野外活動において極めて便利に記録作業を行うことが可能となる。この結果、人体の下肢における股部外側に取付けられ、内部に被収納物を収納可能としてなる小物入れにおいて、その利便性を向上させることができるという効果がある。
【考案を実施するための最良の形態】
【００１２】
実施形態に係る小物入れは、図１に示すように人体の下肢における股部２の外側に取付けられるものとされる。すなわちこの小物入れは、図２あるいは図３に示すように全体直方体形状のものとされ、全体を布材、合成皮革材等で形成される。小物入れは、小物入れ本体１においてファスナー３の引き手４を図２の矢印Ａ方向に引くことにより内部を開け、該内部に医療用品、書類、携帯具など様々な被収納物を収納可能としている。
【００１３】
さらに小物入れ本体１には外側に小袋部５が備えられ、この部分のファスナー６の引き手７についても図２の矢印Ｂ方向に引くことにより内部を開け、該内部に様々な小物類を収納可能にしている。なお、小袋部５の外側には反射テープ８が取着され、小物入れを取付けた人にライトの光が当たった場合にこの部分を反射させるようにしている。
【００１４】
小物入れには、小物入れ本体１の内側において、小物入れを人体の下肢における股部２に取付けるための取付バンド９および取付バンド１０が備えられる。取付バンド９は、小物入れ本体１の内側上方にその端部が縫合され（図３参照）、全体ループ状をなし、小物入れを取付ける人が装着する腰ベルト１１に対して掛け回すようにしている（図１参照）。すなわち、取付ベルト９は、ループ状をなす各端部にバックル状の係合体１２Ａ、１２Ｂを備えてなり、腰ベルト１１に対して掛け回された取付ベルト９の雌雄一対をなす係合体１２Ａ（雄係合体）と係合体１２Ｂ（雌係合体）とを相互に係合することにより、小物入れ本体１を腰ベルト１１に対して取付けることを可能にしている。
【００１５】
さらに小物入れ本体１の内側において備えられる取付バンド１０は、図３に示すように小物入れ本体１の内側に縫着される挿通部１３に挿通されて支持され、股部２に対して水平方向に巻き回される状態で取付けられる全体ループ状をなす（図１参照）。すなわち、取付ベルト１０も、ループ状をなす各端部にバックル状の係合体１４Ａ、１４Ｂを備えてなり、図１に示すように股部２に対して巻き回された取付ベルト１０の雌雄一対をなす係合体１４Ａ（雄係合体）と係合体１４Ｂ（雌係合体）とを相互に係合することにより、前記取付ベルト９とともに、小物入れ本体１を股部２の外側に対して取付けることが可能となる（図１参照）。
【００１６】
こうして取付ベルト９および取付ベルト１０により、人体の下肢における股部２の外側に取付けられる小物入れ本体１には、股部２に対する取付状態において小物入れ本体１の内側に、股部２の前面側に開口されるポケット部１５が備えられる。このポケット部１５内には、内部に板紙あるいは合成樹脂製のボード材が収容され、これを布材等で被包してなる板状体１６が収納され、該板状体１６は図１５に示すように一端部がポケット部１５内の最奥部に縫合される伸縮布材体１７の前端部に縫合される（図５参照）。
【００１７】
板状体１６にはポケット部１５に対する収納状態において、図２に示すようにポケット部１５より突出する状態で把持片１８がその前端部に備えられる。該把持片１８は上下に貫通する筒状のものとされる。板状体１６はこの把持片１８を把持するようにしてポケット部１５より矢印Ｃ方向に引き出し自在とされ（図４参照）、かつ図３のように非引き出し状態においてポケット部１５内に収納可能とされる。
【００１８】
引き出される板状体１６の表面には、図４に示すようにメモ帳１９の基端部を矢印Ｄ方向に挿入し、保持可能とする全体帯体からなるメモホルダ２０が備えられる。すなわちメモホルダ２０は、伸縮性を有する帯体からなり、メモ帳１９を板状体１６の表面部に取着可能とする。さらに前記のように筒状をなす把持片１８には、例えば筆記具としてのボールペン２１の、クリップ２２の部分を矢印Ｅに示すように挿通し、該ボールペン２１が保持されるようにしている（図４参照）。
【００１９】
すなわち、把持片１８は板状体１６をポケット部１５内から引き出し、あるいは収納するための把持体として利用できる他、ボールペン、鉛筆などの筆記具の胴部を直接挿通したり、またそのクリップを挿通して止着するペンホルダとしても利用可能とされる。
【００２０】
こうして板状体１６に対してその表面にメモ帳１９が取着された小物入れ本体１は、図１に示すように股部２の外側に取付けられ、この状態において板状体１６は常時ポケット部１５内に収納される。そして小物入れ本体１を図１に示すように装着してなる作業者（人体）が、例えばメモ帳１９に対して記入し、記録したい場合、先ず地面に対し小物入れ本体１が装着された側の下肢股部２を立て膝にし（図６参照）、次いで図７に示すように把持片１８を摘んでポケット部１５より板状体１６を引き出すようにする。すると股部２前面側の上部に板状体１６が引き出され、メモ帳１９が股部２上に支持されることとなる。さらに作業者は図８に示すように引き出されたメモ帳１９をめくり、ボールペン２１を用いてメモ帳１９に記入し、記録することが可能となる。
【００２１】
この際、ボールペン２１を用いてのメモ帳１９への記録は、股部２上で支持される板状体１６の上で安定的に行うことができるので、作業者においては慌ただしい野外活動（レンジャー活動、救助活動等）の合間において安定した状態で正確に記録作業の実施が可能となる。そして記録作業が終了した後は、再びポケット部１５内に板状体１６を収納し、図１に示す状態で本来の様々な活動（レンジャー活動、救助活動等）に戻ることが可能となり、極めて便利に記録作業を実施することが可能となる。
【実施例】
【００２２】
図９は本発明の実施例に係る小物入れを示す。この小物入れは、前記実施形態の変形例に係り、前記板状体１６の表面に小型コンピュータとしてのＰＤＡ２３を取着可能とする取付ホルダ２４Ａ、２４Ｂを備えることとしたものである。すなわち、取付ホルダはＰＤＡ２３の上端部を挿入保持するための上ホルダ２４Ａと、矢印θ１方向に付勢され、回動可能とされる一対の下ホルダ２４Ｂを備えてなり、下ホルダ２４Ｂは付勢力に抗して一旦θ２方向に回動し、ＰＤＡ２３の上端を上ホルダ２４Ａに保持させた後に下方の隅部を矢印θ１方向の回動により保持させることで板状体１６の表面にＰＤＡ２３を取着可能にしている。
【００２３】
このようにＰＤＡ２３を取付けてなる板状体１６においても作業者が例えばＰＤＡ２３に入力し、記録したい場合、先ず地面に対し小物入れ本体１が装着された側の下肢股部２を立て膝にし（図９参照）、次いで把持片１８を摘んでポケット部１５より板状体１６を引き出すようにする。すると股部２前面側の上部に板状体１６が引き出され、ＰＤＡ２３が股部２上に支持されることとなる。さらに作業者は図９に示すように入力ペン２５によりＰＤＡ２３の入力画面にペンタッチにより入力して記録することが可能となる。
【００２４】
この際、入力ペン２５を用いての記録は、股部２上で支持される板状体１６の上で安定的に行うことができるので、作業者においては慌ただしい野外活動（レンジャー活動、救助活動等）の合間において安定した状態で正確に記録作業の実施が可能となる。そして記録作業が終了した後は、再びポケット部１５内に板状体１６を収納し、図１に示す状態で本来の様々な活動（レンジャー活動、救助活動等）に戻ることが可能となり、極めて便利に記録作業を実施することが可能となる。なお前記実施形態および実施例においては、下肢のうち右脚の股部２に小物入れ本体１を取付ける例を説明したが左利きの作業者においては、左脚の股部２に取付け、板状体１６を左脚の股部２上に引き出すように形成させてもよい。
【産業上の利用可能性】
【００２５】
本考案に係る小物入れは、レスキュー隊員、海上保安官、自衛隊員などもっぱら野外活動に従事する者がその下肢における股部外側に取付けて利用することができる他、カメラマン、電気工事員、建築土木作業者、測量士などが小物入れとして利用し、かつ記録作業を行うのに極めて高い利便性を備えるものとされる。
【図面の簡単な説明】
【００２６】
【図１】実施形態に係る小物入れを人体の下肢における股部外側に取付けた状態を示す正面図である。
【図２】小物入れの斜視図である。
【図３】図２の矢印III方向から観た小物入れの斜視図である。
【図４】小物入れのポケット部より板状体を引き出した状態を示す図２に対応する斜視図である。
【図５】小物入れにおけるポケット部の内部を示す一部破断の斜視図である。
【図６】股部に取付けた小物入れを上方より観た斜視図である。
【図７】板状体を引き出した状態を示す図６と同様の斜視図である。
【図８】板状体の表面に取着されたメモ帳においてメモをとる状態を示す図６と同様の斜視図である。
【図９】板状体の表面に小型コンピュータとしてのＰＤＡを取着し、使用する状態を示す図６と同様の斜視図である。
【符号の説明】
【００２７】
１            小物入れ本体
２            股部
３，６        ファスナー
４，７        引き手
５            小袋部
８            反射テープ
９，１０      取付バンド
１１          腰ベルト
１２Ａ、１２Ｂ、１４Ａ、１４Ｂ        係合体
１３          挿通部
１５          ポケット部
１６          板状体
１７          伸縮布体
１８          把持片
１９          メモ帳
２０          メモホルダ
２１          ボールペン
２２          クリップ
２３          ＰＤＡ（小型コンピュータ）
２４Ａ        上取付ホルダ
２４Ｂ        下取付ホルダ
２５          入力ペン    
【図１】
0003146743.tif 000003
【図２】
0003146743.tif 000004
【図３】
0003146743.tif 000005
【図４】
0003146743.tif 000006
【図５】
0003146743.tif 000007
【図６】
0003146743.tif 000008
【図７】
0003146743.tif 000009
【図８】
0003146743.tif 000010
【図９】
0003146743.tif 000011